(57)【要約】【課題】フィールド機器から得られた時系列データとアラートデータの相関関係や因果関係を容易に把握できるようにする。【解決手段】トレンド表示部１７が、時系列データのトレンドグラフを時間軸に沿って画面表示し、アラート表示部１８が、アラートデータに含まれるアラートの発生／停止を示すアラート発停シンボルを、アラートの発生／停止日時に基づいてトレンドグラフの時間軸に沿って画面表示する。【選択図】  図１
2017126108.tif 000002
【特許請求の範囲】
【請求項１】
施設内に設置されているフィールド機器から収集された時系列データやアラートデータを画面表示する機器管理装置であって、
前記時系列データのトレンドグラフを時間軸に沿って画面表示するトレンド表示部と、
前記アラートデータに含まれるアラートの発生／停止を示すアラート発停シンボルを、前記アラートの発生／停止日時に基づいて前記トレンドグラフの時間軸に沿って画面表示するアラート表示部と
を備えることを特徴とする機器管理装置。
【請求項２】
請求項１に記載の機器管理装置において、
前記トレンド表示部は、前記トレンドグラフに対する詳細表示要求操作に応じて、前記時間軸のうち前記詳細表示要求操作のあった選択時間位置における選択データの内容を、前記トレンドグラフの時系列データから抽出して詳細表示し、
前記アラート表示部は、前記アラート発停シンボルに対する詳細表示要求操作に応じて、前記アラート発停シンボルと対応する選択アラートの内容を、前記アラートデータから抽出して詳細表示する
ことを特徴とする機器管理装置。
【請求項３】
請求項１または請求項２に記載の機器管理装置において、
前記アラート表示部は、前記アラート発停シンボルに対する期間表示要求操作に応じて、前記アラート発停シンボルと対応するアラートの発生時間位置から停止時間位置までの発生継続期間を、前記トレンドグラフの時間軸に沿って強調表示することを特徴とする機器管理装置。
【請求項４】
請求項３に記載の機器管理装置において、
前記アラート表示部は、前記アラートの発生継続期間を強調表示する際、前記アラートと同一種別のアラートを前記アラートデータから選択し、選択したアラートの発生継続期間も合わせて強調表示することを特徴とする機器管理装置。
【請求項５】
請求項１〜請求項４のいずれかに記載の機器管理装置において、
前記アラートデータに含まれるアラートのうちから、設定された非表示とするアラート種別に関するアラートを除外するフィルタ処理部をさらに備え、
前記アラート表示部は、前記アラート発停シンボルを画面表示する際、前記アラートデータから除外されなかった残りのアラートに関するアラート発停シンボルのみを画面表示する
ことを特徴とする機器管理装置。
【請求項６】
施設内に設置されているフィールド機器から収集された時系列データやアラートデータを画面表示する機器管理方法であって、
前記時系列データのトレンドグラフを時間軸に沿って画面表示するトレンド表示ステップと、
前記アラートデータに含まれるアラートの発生／停止を示すアラート発停シンボルを、前記アラートの発生／停止日時に基づいて前記トレンドグラフの時間軸に沿って画面表示するアラート表示ステップと
を備えることを特徴とする機器管理方法。
【発明の詳細な説明】
【技術分野】
【０００１】
本発明は、施設に配置されている各種フィールド機器から得られたデータを可視化してフィールド機器を管理に用いる機器管理技術に関する。
【背景技術】
【０００２】
昨今、工場やプラント、大規模ビルなどの施設に設置されているフィールド機器は、デジタル化による、ＨＡＲＴプロトコル、Ｆｉｅｌｄｂｕｓ  Ｆｏｕｎｄａｔｉｏｎプロトコル、ＰＲＯＦＩＢＵＳプロトコルなどの高機能化が進んでおり、フィールド機器単体の時系列データやアラートデータを、機器管理装置において個別に管理することが可能となっている。
【先行技術文献】
【特許文献】
【０００３】
【特許文献１】特開２０１２−０１４３８９号公報
【発明の概要】
【発明が解決しようとする課題】
【０００４】
このような高機能化されたフィールド機器については、前述したプロトコルを利用することで、フィールド機器から取得可能である時系列データおよびアラートデータを組み合わせることにより、時系列データとアラートデータの相関関係や因果関係を把握することができ、施設の状態を容易かつ適切に把握することが可能となる。
【０００５】
しかしながら、このような従来技術では、アラートの発生から解消までの間の時系列データトレンドを可視化して画面表示することは可能であるが、アラートデータとの相関関係や因果関係を容易に把握できるような可視化はされていない。したがって、両者がどのような関係を持っているかについては、トレンドデータとアラートデータをオペレータ自身が見比べて判断する必要があり、オペレータの知識・能力・経験に依存するという問題点があった。このため、施設の状態を容易かつ適切に把握することが難しいという問題点があった。
【０００６】
本発明はこのような課題を解決するためのものであり、フィールド機器から得られた時系列データとアラートデータの相関関係や因果関係を容易に把握できる機器管理技術を提供することを目的としている。
【課題を解決するための手段】
【０００７】
このような目的を達成するために、本発明にかかる機器管理装置は、施設内に設置されているフィールド機器から収集された時系列データやアラートデータを画面表示する機器管理装置であって、前記時系列データのトレンドグラフを時間軸に沿って画面表示するトレンド表示部と、前記アラートデータに含まれるアラートの発生／停止を示すアラート発停シンボルを、前記アラートの発生／停止日時に基づいて前記トレンドグラフの時間軸に沿って画面表示するアラート表示部とを備えている。
【０００８】
また、本発明にかかる上記機器管理装置の一構成例は、前記トレンド表示部が、前記トレンドグラフに対する詳細表示要求操作に応じて、前記時間軸のうち前記詳細表示要求操作のあった選択時間位置における選択データの内容を、前記トレンドグラフの時系列データから抽出して詳細表示し、前記アラート表示部は、前記アラート発停シンボルに対する詳細表示要求操作に応じて、前記アラート発停シンボルと対応する選択アラートの内容を、前記アラートデータから抽出して詳細表示するようにしたものである。
【０００９】
また、本発明にかかる上記機器管理装置の一構成例は、前記アラート表示部が、前記アラート発停シンボルに対する期間表示要求操作に応じて、前記アラート発停シンボルと対応するアラートの発生時間位置から停止時間位置までの発生継続期間を、前記トレンドグラフの時間軸に沿って強調表示するようにしたものである。
【００１０】
また、本発明にかかる上記機器管理装置の一構成例は、前記アラート表示部が、前記アラートの発生継続期間を強調表示する際、前記アラートと同一種別のアラートを前記アラートデータから選択し、選択したアラートの発生継続期間も合わせて強調表示するようにしたものである。
【００１１】
また、本発明にかかる上記機器管理装置の一構成例は、前記アラートデータに含まれるアラートのうちから、設定された非表示とするアラート種別に関するアラートを除外するフィルタ処理部をさらに備え、前記アラート表示部は、前記アラート発停シンボルを画面表示する際、前記アラートデータから除外されなかった残りのアラートに関するアラート発停シンボルのみを画面表示するようにしたものである。
【００１２】
また、本発明にかかる機器管理方法は、施設内に設置されているフィールド機器から収集された時系列データやアラートデータを画面表示する機器管理方法であって、前記時系列データのトレンドグラフを時間軸に沿って画面表示するトレンド表示ステップと、前記アラートデータに含まれるアラートの発生／停止を示すアラート発停シンボルを、前記アラートの発生／停止日時に基づいて前記トレンドグラフの時間軸に沿って画面表示するアラート表示ステップとを備えている。
【発明の効果】
【００１３】
本発明によれば、オペレータは、フィールド機器から得られた時系列データのトレンドグラフとアラートデータに含まれるアラートの発停時点を示すアラート発停シンボルとを、同一表示領域の同一時間軸上で視認することができる。したがって、時系列データの変化とアラートの発生／停止との相関関係や因果関係を容易に把握することが可能となる。
【図面の簡単な説明】
【００１４】
【図１】第１の実施の形態にかかる機器管理装置の構成を示すブロック図である。
【図２】時系列データの構成例である。
【図３】アラートデータの構成例である。
【図４】トレンド表示処理を示すフローチャートである。
【図５】画面表示例である。
【図６】アラート発停シンボルの説明図である。
【図７】選択データの詳細表示画面例である。
【図８】選択アラートの詳細表示画面例である。
【図９】アラート種別シンボルの構成例である。
【図１０】第２の実施の形態にかかる機器管理装置を示すブロック図である。
【図１１】アラートフィルタ処理を示すフローチャートである。
【図１２】フィルタ設定画面の構成例である。
【発明を実施するための形態】
【００１５】
次に、本発明の実施の形態について図面を参照して説明する。
［第１の実施の形態］
まず、図１を参照して、本発明の第１の実施の形態にかかる機器管理装置１０について説明する。図１は、第１の実施の形態にかかる機器管理装置の構成を示すブロック図である。
【００１６】
機器管理装置１０は、全体として、サーバ装置やパーソナルコンピュータなどの情報処理装置からなり、施設に設置されているフィールド機器２０を監視・制御する施設管理システム１で用いられて、施設管理システム１により各フィールド機器２０から収集された、これらフィールド機器２０で扱う制御データや計測データなどの時系列データや、これらフィールド機器２０で生じたアラートを示すアラートデータを、指定されたフィールド機器２０ごとに画面表示する機能を有している。
【００１７】
施設には、センサ、バルブポジショナ、流量計などの各種のフィールド機器２０が設置されており、これらフィールド機器２０は、伝送回線Ｌ２を介してコントローラ、Ｉ／Ｏモジュール、フィールドバスコントローラなどの上位デバイス３０に収容されている。
【００１８】
管理装置４０は、全体としてサーバ装置などの情報処理装置からなり、通信回線Ｌ１を介して上位装置３０や機器管理装置１０と接続されており、各フィールド機器２０の時系列データやアラートデータを収集して監視・蓄積し、オペレータの指示に応じて上位装置３０へ制御コマンドを出力することにより、これら上位デバイス３０やフィールド機器２０からなる階層構造に基づいて、施設全体の運転状況を管理する機能を有している。
【００１９】
［機器管理装置］
次に、図１を参照して、本実施の形態にかかる機器管理装置１０の構成について詳細に説明する。
機器管理装置１０には、主な機能部として、通信Ｉ／Ｆ部１１、操作入力部１２、画面表示部１３、記憶部１４、機器ＤＢ１５、データ取得部１６、トレンド表示部１７、およびアラート表示部１８が設けられている。
【００２０】
通信Ｉ／Ｆ部１１は、通信回線Ｌ１を介して上位装置３０や管理装置４０とデータ通信を行うことにより、上位装置３０や管理装置４０で収集された各フィールド機器２０に関する時系列データおよびアラートデータを取得する機能を有している。
【００２１】
操作入力部１２は、キーボード、マウス、タッチパネルなどの操作入力装置からなり、オペレータの操作を検出する機能を有している。
画面表示部１３は、ＬＣＤなどの画面表示装置からなり、操作メニュー画面、設定画面、チェック結果画面などの各種情報を画面表示する機能を有している。
記憶部１４は、ハードディスクや半導体メモリなどの記憶装置からなり、機器管理装置１０でのトレンド表示処理やアラート表示処理で用いる各種処理情報やプログラムを記憶する機能を有している。
【００２２】
機器ＤＢ１５は、ハードディスクや半導体メモリなどの記憶装置からなり、通信Ｉ／Ｆ部１１を介して上位装置３０や管理装置４０から取得した各フィールド機器２０に関する時系列データおよびアラートデータを蓄積するためのデータベースである。
【００２３】
図２は、時系列データの構成例である。ここでは、データを識別するためのデータＩＤごとに、当該データが取得されたフィールド機器２０を示す機器ＩＤ、当該データの値を示すデータ値、当該データが取得された日時を示す取得日時などの各種情報が登録されている。
【００２４】
図３は、アラートデータの構成例である。ここでは、アラートを識別するためのアラートＩＤごとに、当該アラートが発生したフィールド機器２０を示す機器ＩＤ、当該アラートの種別を示すアラート種別、当該アラートが発生した日時を示す発生日時、当該アラートが停止した日時を示す停止日時などの各種情報が登録されている。
【００２５】
データ取得部１６は、通信Ｉ／Ｆ部１１を介して上位装置３０や管理装置４０から各フィールド機器２０に関する時系列データおよびアラートデータを取得し、機器ＤＢ１５へ蓄積する機能を有している。
【００２６】
トレンド表示部１７は、操作入力部１２で検出されたオペレータによるトレンド表示要求操作に応じて、指定されたフィールド機器２０に関する時系列データを機器ＤＢ１５から取得する機能と、取得した時系列データのトレンドグラフを時間軸に沿って画面表示部１３で画面表示する機能と、画面表示されているトレンドグラフに対する詳細表示要求操作に応じて、時間軸のうち詳細表示要求操作のあった時間位置におけるデータの内容を、トレンドグラフの時系列データから抽出して画面表示部１３で詳細表示する機能とを有している。
【００２７】
アラート表示部１８は、操作入力部１２で検出されたオペレータによるトレンド表示要求操作に応じて、指定されたフィールド機器２０に関するアラートデータを機器ＤＢ１５から取得する機能と、取得したアラートデータに含まれるアラートの発生／停止を示すアラート発停シンボルを、アラートの発生／停止日時に基づいてトレンドグラフの時間軸に沿って画面表示部１３で画面表示する機能と、画面表示されているアラート発停シンボルに対する詳細表示要求操作に応じて、選択されたアラート発停シンボルと対応するアラートの内容を、アラートデータから抽出して画面表示部１３で詳細表示する機能とを有している。
【００２８】
また、アラート表示部１８は、画面表示されているアラート発停シンボルに対する期間表示要求操作に応じて、アラート発停シンボルと対応するアラートの発生時間位置から停止時間位置までの発生継続期間を、トレンドグラフの時間軸に沿って強調表示する機能と、アラートの発生継続期間を強調表示する際、アラートと同一種別のアラートをアラートデータから選択し、これらアラートの発生継続期間も合わせて強調表示する機能とを有している。
【００２９】
これら機能部のうち、データ取得部１６、トレンド表示部１７、アラート表示部１８、およびフィルタ処理部１９については、ＣＰＵが記憶部１４のプログラムを実行して実現される。プログラムについては、予め外部装置や記録媒体から読み出されて記憶部１４に格納される。
【００３０】
［第１の実施の形態の動作］
次に、図４および図５を参照して、本実施の形態にかかる機器管理装置１０の動作について説明する。図４は、トレンド表示処理を示すフローチャートである。図５は、画面表示例である。
ここでは、機器ＤＢ１５に予め蓄積されている時系列データおよびアラートデータを、オペレータのトレンド表示要求操作に応じて画面表示する場合を例として説明する。
【００３１】
まず、トレンド表示部１７は、操作入力部１２で検出されたオペレータによるトレンド表示要求操作に応じて、指定されたフィールド機器２０に関する時系列データを機器ＤＢ１５から取得し（ステップ１００）、取得した時系列データのトレンドグラフを時間軸に沿って、画面表示部１３で画面表示する（ステップ１０１）。
【００３２】
一方、アラート表示部１８は、操作入力部１２で検出されたオペレータによるトレンド表示要求操作に応じて、指定されたフィールド機器２０に関するアラートデータを機器ＤＢ１５から取得し（ステップ１０２）、取得したアラートデータに含まれるアラートの発生／停止を示すアラート発停シンボルを、アラートの発生／停止日時に基づいてトレンドグラフの時間軸に沿って、画面表示部１３で画面表示する（ステップ１０３）。
【００３３】
図５において、表示領域５０には、指定されたフィールド機器２０の時系列データを示すトレンドグラフ５０Ｔが表示されており、横軸が時間軸であり、縦軸が各時系列データのデータ値を示している。アラート発停シンボル５０Ａは、アラートの発生／停止を示すアイコンであり、アラートの発生／停止日時に基づいて、トレンドグラフ５０Ｔの時間軸に沿って表示領域５０の上端部に配置されている。
【００３４】
図６は、アラート発停シンボルの説明図である。ここでは、菱形シンボルの中央に配置された矢印が上向きのものがアラート発生を示しており、下向きのものがアラート停止を示している。また、菱形シンボルの色が薄いものが未選択状態を示し、色が濃いものが選択状態を示し、後述する強調表示に用いるものである。
【００３５】
これにより、オペレータは、トレンドグラフ５０Ｔと各アラート発停シンボル５０Ａとを、同一表示領域５０の同一時間軸上で視認することができる。したがって、Ａという時系列データがＢという値より高い場合には、Ｃというアラートが発生し易いというような、時系列データの変化とアラートの発生／停止との相関関係や因果関係を容易に把握することができる。
【００３６】
この後、ステップ１１０，１１２，１１４，１１８からなるオペレータの操作待ちループＬＰに移行する。なお、操作待ちループＬＰにおける各処理は、実際には検出操作に応じたイベントドリブン形式で実行される。
【００３７】
この操作待ちループＬＰにおいて、表示領域５０に表示されているトレンドグラフ５０Ｔのいずれかに対する詳細表示要求操作、例えばマウスカーソルによるトレンドグラフ５０Ｔへのクリック操作があった場合（ステップ１１０：ＹＥＳ）、トレンド表示部１７は、時間軸のうち詳細表示要求操作のあった選択時間位置における選択データの内容を、トレンドグラフ５０Ｔの時系列データから抽出して詳細表示する（ステップ１１１）。
【００３８】
図７は、選択データの詳細表示画面例である。ここでは、選択データの詳細内容として、選択データの変数名「ＰＶ（Ｓｅｔ  Ｐｏｉｎｔ）」と、選択時間位置における選択データの値「６２．４％」と、選択時間位置を示す日時「２０１５／０２／０１  １１：４１：３０」とが、ポップアップ画面に表示されている。表示する選択データの内容としては、これらに限定されるものではない。
【００３９】
また、操作待ちループＬＰにおいて、表示領域５０に表示されているアラート発停シンボル５０Ａのいずれかに対する詳細表示要求操作、例えばマウスカーソルによるアラート発停シンボル５０Ａへのクリック操作があった場合（ステップ１１２：ＹＥＳ）、アラート表示部１８は、選択されたアラート発停シンボルと対応する選択アラートの内容を、アラート発停シンボルのアラートデータから抽出して詳細表示する（ステップ１１３）。
【００４０】
図８は、選択アラートの詳細表示画面例である。ここでは、選択アラートの詳細内容として、選択アラートのアラート種別を示すアラート種別シンボルと、選択アラートのアラート内容「Ｌｏｏｐ  Ｃｕｒｒｅｎｔ  Ｓａｔｕｒｅｔｅｄ」と、選択アラートの発生／停止種別「発生」と、そのアラート発生日時「２０１５／０２／０１  １１：４１：３０」とが、ポップアップ画面に表示されている。表示する選択アラートの内容としては、これらに限定されるものではない。
【００４１】
図９は、アラート種別シンボルの構成例である。アラート種別シンボルは、各アラート種別に応じて図柄や色がデザインされたアイコンからなり、アラートの重要性に応じた優先度が設定されているとともに、アラート種別の意味にしたがって各アラート内容が割り当てられている。一般には、ヨーロッパのユーザ団体ＮＡＭＵＲが発行する基準のうち、ＮＡＭＵＲ  ＮＥ１０７「Self-Monitoring and Diagnosis of Field Devices」に準拠したシンボルマークや、これを拡張したものが利用されつつある。
【００４２】
また、操作待ちループＬＰにおいて、表示領域５０に表示されているアラート発停シンボル５０Ａのいずれかに対する期間表示要求操作、例えばマウスカーソルをアラート発停シンボル５０Ａ上に移動させるマウスオーバー操作があった場合（ステップ１１４：ＹＥＳ）、アラート表示部１８は、選択されたアラート発停シンボルと対応する選択アラートの発生時間位置から停止時間位置までの発生継続期間を強調表示する（ステップ１１５）。
【００４３】
図５の例では、アラート発生を示すアラート発停シンボル５１Ａがマウスカーソルで事前選択された状態を示しており、図６に示した濃い色のシンボルを用いて強調表示されている。この際、このアラート発停シンボル５１Ａと対となるアラート停止を示すアラート発停シンボル５１Ｂも同様に強調表示されており、選択アラートの発生時間位置から停止時間位置までの発生継続期間を容易に把握できる。
また、図５に示すように、このアラート発停シンボル５１Ａ，５１Ｂの間の発生継続期間を網掛けシンボル５１Ｃで強調表示してもよく、選択アラートの発生継続期間とトレンドグラフ５０Ｔとの時間的関係を、極めて容易に把握できる。
【００４４】
この後、アラート表示部１８は、指定されたフィールド機器２０のアラートデータから、選択アラートと同一種別のアラートを検索し（ステップ１１６）、検索アラートに関するアラート発停シンボルを強調表示するとともに、その発生継続期間を網掛けシンボルで強調表示する（ステップ１１７）。
図５の例では、選択アラートのアラート発停シンボル５１Ａ，５１Ｂや網掛けシンボル５１Ｃだけでなく、検索アラートのアラート発停シンボル５２についても強調表示されているとともに、これら検索アラートの発生継続期間が網掛けシンボル５２Ｃで強調表示されている。
【００４５】
また、操作待ちループＬＰにおいて、トレンド表示画面を閉じる操作などの終了操作があった場合（ステップ１１８）、一連のデータ表示処理を終了する。
【００４６】
［第１の実施の形態の効果］
このように、本実施の形態は、トレンド表示部１７が、時系列データのトレンドグラフ５０Ｔを時間軸に沿って画面表示し、アラート表示部１８が、アラートデータに含まれるアラートの発生／停止を示すアラート発停シンボル５０Ａを、アラートの発生／停止日時に基づいてトレンドグラフの時間軸に沿って画面表示するようにしたものである。
これにより、オペレータは、トレンドグラフ５０Ｔと各アラート発停シンボル５０Ａとを、同一表示領域５０の同一時間軸上で視認することができる。したがって、時系列データの変化とアラートの発生／停止との相関関係や因果関係を容易に把握することが可能となる。
【００４７】
また、本実施の形態において、トレンド表示部１７が、トレンドグラフ５０Ｔに対する詳細表示要求操作に応じて、時間軸のうち詳細表示要求操作のあった時間位置におけるデータの内容を、トレンドグラフ５０Ｔの時系列データから抽出して詳細表示し、アラート表示部１８が、アラート発停シンボル５０Ａに対する詳細表示要求操作に応じて、アラート発停シンボル５０Ａと対応するアラートの発生時間位置から停止時間位置までの発生継続期間を、トレンドグラフ５０Ｔの時間軸に沿って強調表示するようにしてもよい。これにより、トレンドグラフ５０Ｔの変化に対する、選択アラートの発生時間位置から停止時間位置までの発生継続期間の時間位置を容易に把握できる。
【００４８】
また、本実施の形態において、アラート表示部１８が、アラート発停シンボルに対する期間表示要求操作に応じて、アラート発停シンボル５０Ａと対応するアラートの発生時間位置から停止時間位置までの発生継続期間を、トレンドグラフ５０Ｔの時間軸に沿って強調表示するようにしてもよい。これにより、トレンドグラフ５０Ｔの変化に対する、選択アラートの発生時間位置から停止時間位置までの発生継続期間の時間位置を、極めて容易に把握できる。
【００４９】
［第２の実施の形態］
次に、図１０を参照して、本発明の第２の実施の形態にかかる機器管理装置１０について説明する。図１０は、第２の実施の形態にかかる機器管理装置を示すブロック図である。
第１の実施の形態では、トレンド表示要求操作に応じて、指定したフィールド機器２０の時系列データとアラートデータとを同一時間軸上で表示する場合について説明した。本実施の形態では、アラートデータに含まれるアラートのうち不要なアラートをフィルタリングして非表示とする場合について説明する。
【００５０】
図１０に示すように、本実施の形態にかかる機器管理装置１０には、図１と比較して、フィルタ処理部１９が追加されている。
フィルタ処理部１９は、アラートデータに含まれるアラートのうちから、予め設定されているアラート種別に関するアラートを除外する機能を有している。
【００５１】
アラート表示部１８は、アラート発停シンボルを画面表示する際、フィルタ処理部１９によりアラートデータから除外されなかった残りのアラートに関するアラート発停シンボルのみを画面表示する機能を有している。
なお、本実施の形態にかかるその他の構成やトレンド表示処理については第１の実施の形態とほぼ同様であり、ここでの説明は省略する。
【００５２】
［第２の実施の形態の動作］
次に、図１１を参照して、本実施の形態にかかる機器管理装置１０のフィルタ動作について説明する。図１１は、アラートフィルタ処理を示すフローチャートである。
ここでは、トレンド表示処理の操作待ちループＬＰにおけるオペレータのアラートフィルタ要求操作に応じて、図１１のアラートフィルタ処理を実行する。
【００５３】
まず、フィルタ処理部１９は、フィルタ設定画面を画面表示し（ステップ２００）、オペレータが、フィルタ設定画面に対して操作入力部１２から非表示とする非表示アラート情報を入力する（ステップ２０１）。
図１２は、フィルタ設定画面の構成例である。ここでは、各アラート種別を示すアラート種別シンボルと、それぞれのアラート種別に属するアラート内容とが表形式で表示されており、これらアラート種別およびアラート内容ごとに、個々のアラート種別やアラート内容を非表示アラートとして選択するためのチェックシンボルが配置されている。
【００５４】
この後、フィルタ処理部１９は、フィルタ設定画面の適用ボタン操作に応じて（ステップ２０２：ＹＥＳ）、フィルタ設定画面から非表示アラート情報を取得し（ステップ２０３）、指定されたフィールド機器２０のアラートデータから、非表示アラート情報に基づいて非表示となる非表示アラートを除外する（ステップ２０４）。
【００５５】
続いて、フィルタ処理部１９は、トレンド表示画面に表示されている各アラートのシンボルを消去した後（ステップ２０５）、アラートデータから除外されなかった残りのアラートに関するアラート発停シンボルを、これらアラートの発生／停止日時に基づいてトレンドグラフの時間軸に沿って画面表示し（ステップ２０６）、一連のアラートフィルタ処理を終了する。
【００５６】
［第２の実施の形態の効果］
このように本実施の形態は、フィルタ処理部１９が、アラートデータに含まれるアラートのうちから、設定された非表示アラート種別に基づいて非表示とするアラートを除外し、アラート表示部１８が、アラート発停シンボルを画面表示する際、フィルタ処理部１９によりアラートデータから除外されなかった残りのアラートに関するアラート発停シンボルのみを画面表示するようにしたものである。
【００５７】
これにより、確認する必要のない任意のアラート、例えば優先度の低いアラートをトレンド表示画面上で非表示とすることができる。したがって、より優先度の高い重要なアラートのみをトレンドグラフと比較して、同一表示領域５０の同一時間軸上で視認することができる。したがって、時系列データの変化とオペレータが着目している任意のアラートの発生／停止との相関関係や因果関係を容易に把握することが可能となる。
【００５８】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５９】
１…施設管理システム、１０…機器管理装置、１１…通信Ｉ／Ｆ部、１２…操作入力部、１３…画面表示部、１４…記憶部、１５…機器ＤＢ、１６…データ取得部、１７…トレンド表示部、１８…アラート表示部、１９…フィルタ処理部、２０…フィールド機器、３０…上位装置、４０…管理装置、Ｌ１…通信回線、Ｌ２…伝送回線。
【図１】
2017126108.tif 000003
【図２】
2017126108.tif 000004
【図３】
2017126108.tif 000005
【図４】
2017126108.tif 000006
【図５】
2017126108.tif 000007
【図６】
2017126108.tif 000008
【図７】
2017126108.tif 000009
【図８】
2017126108.tif 000010
【図９】
2017126108.tif 000011
【図１０】
2017126108.tif 000012
【図１１】
2017126108.tif 000013
【図１２】
2017126108.tif 000014